(57)【要約】【課題】            従来の利用者通行認識ゲートは、退館認証ゲートと不正持出し防止ゲートの二段構成となっており、広いスペースを必要とし、導入費用も高額となってしまい、前記した二段構成のため、不正持出しゲートの存在が邪魔となり、利用者が持参のＩＣカードを翳す作業が行ないにくく、また、精度よく非接触による通信がなされにくいという点である。【解決手段】        非接触式の利用者認証のためのＩＣカードリーダを備え、その認証の結果、開状態とされる通行遮断手段を有する利用者通行認証ゲートに、非接触式の不正持出し防止用のＲＦＩＤリーダライタ及びそのＲＦＩＤリーダライタのためのアンテナを一体的に組み込んだこととする。【選択図】          図１
2015210692.tif 000002
【特許請求の範囲】
【請求項１】
非接触式の利用者認証のためのＩＣカードリーダを備え、その認証の結果、開状態とされる通行遮断手段を有する利用者通行認証ゲートに、非接触式の不正持出し防止用のＲＦＩＤリーダライタ及びそのＲＦＩＤリーダライタのためのアンテナを一体的に組み込んだことを特徴とする利用者通行認証ゲート。
【請求項２】
前記した利用者通行認証ゲートは人が通行できる幅を有して、相対向する一対が設けられていることを特徴とする請求項１に記載の利用者通行認証ゲート。
【請求項３】
前記した通行遮断手段は、枢動するフラップボードとしてあることを特徴とする請求項１または２に記載の利用者通行認証ゲート。
【発明の詳細な説明】
【技術分野】
【０００１】
本発明は施設の利用者、主として図書館の利用者にあって、その身元確認（個人認証）と施設における種々の資料（図書類）の不正持出しを防止する機能を一体化させた利用者通行認証ゲートに関する。
【背景技術】
【０００２】
上記した認証ゲートは、従来図２として示すような構造となっている。図２中１は利用者の退館認証ゲートを示しており、この退館認証ゲート１は人の通行を許容する幅を有する左右一対から構成されている。この一対の退館認証ゲート１の少なくとも一方の上面には利用者が持参している身元確認（個人認証）のＩＣカードあるいは磁気、バーコードを利用した認証カードを翳すこと、あるいはタッチすることで、非接触あるいは接触読み取りで通信され、通行遮断手段としてのフラップボード２を開く認証リーダ３が設けられている。
【０００３】
また、この退館認証ゲート１の手前には資料（図書類）の不正持出し防止ゲート４が設けられている。この不正持出しゲート４は前記した退館認証ゲート１の幅と同幅を有し、退館認証ゲート１よりも高さの高い左右一対から成り、少なくとも一方に、資料（図書類）に具備されているＲＦＩＤの電子タグの情報をＲＦＩＤ電波読み取りエリア７で認識するＲＦＩＤリーダライタ５が設けられ、左右一対の不正持出しゲート４に各々資料（図書類）の電子タグとの磁場も併用して無線通信をするＲＦＩＤアンテナ６が設けられている。このＲＦＩＤアンテナ６とＲＦＩＤリーダライタ５とは電気的に接続されているもので、不正持出しを検知すると、退館認証ゲート１または不正持出しゲート４に付随しているスピーカーから警告音を鳴動させたり、音声ガイドが発生されるものとなっている。尚、図中８はＲＦＩＤリーダライタ５と電気的に接続された利用者ＤＢ（データベース）を示している。
【０００４】
従来の認証ゲートは上記したように構成されている。利用者の退館認証ゲート１と不正持出し防止ゲート４の二種類のゲートが別途のものとして連続して設置される構成となっているため、広い設置スペースを必要とし、その導入費用も高額なものとなっている。加えて、退館認証ゲート１に先立って不正持出し防止ゲート４が退館認証ゲート１よりも高さが高く存在しているため、利用者が持参のＩＣカードを翳す等して認証させる行為が行ないにくくなっている。
【先行技術文献】
【特許文献】
【０００５】
出願人は、本願発明について先行する技術文献を調査したが、格別に本願発明と関連し、類似していると思われる文献は発見できなかった。
【発明の概要】
【発明が解決しようとする課題】
【０００６】
本発明が解決しようとする問題点は従来の利用者通行認識ゲートは、退館認証ゲートと不正持出し防止ゲートの二段構成となっており、広いスペースを必要とし、導入費用も高額となってしまい、前記した二段構成のため、不正持出しゲートの存在が邪魔となり、利用者が持参のＩＣカードを翳す作業が行ないにくく、また、精度よく非接触による通信がなされにくいという点である。
【課題を解決するための手段】
【０００７】
上記した問題点を解決するため、本発明に係る利用者通行認証ゲートは、非接触式の利用者認証のためのＩＣカードリーダを備え、その認証の結果、開状態とされる通行遮断手段を有する利用者通行認証ゲートに、非接触式の不正持出し防止用のＲＦＩＤリーダライタ及びそのＲＦＩＤリーダライタのためのアンテナを一体的に組み込んだことを特徴としている。
【０００８】
また、本発明に係る利用者通行認証ゲートは、前記した利用者通行認証ゲートは人が通行できる幅を有して、相対向する一対が設けられていることを特徴とし、前記した通行遮断手段は、枢動するフラップボードとしてあることを特徴としている。
【発明の効果】
【０００９】
本発明に係る利用者通行認証ゲートは上記のように構成されている。そのため、従来は連続して二つ設置されていた退館認証ゲートと不正持出し防止ゲートを一体化した構成としてあるので、設置スペースも小さくて済み、また導入費用も低廉なものとできる。加えて、構成がシンプルとなって邪魔となる要素がなくなったため、利用者がＩＣカードを翳しての認証リーダへの確認作業も行ない易く、精度も向上するものとなっている。
【図面の簡単な説明】
【００１０】
【図１】本発明を実施した利用者通行認証ゲートを示す斜視図である。
【図２】従来の利用者通行認証ゲートを示す斜視図である。
【発明を実施するための形態】
【００１１】
図面として示し、実施例で説明したように構成したことで実現した。
【実施例１】
【００１２】
次に、本発明の好ましい実施の一例を図１を参照して説明する。図中１０は通行スペースを挟んで左右一対で構成される退館認証ゲートを示している。この各々の退館認証ゲート１０は各々内面側（通行スペース側）に進入方向へ向かって開き、通行人と衝突してしまうことを防ぎ、通常は通行スペースを遮断するフラップボード２が設けられている。
【００１３】
また、少なくとも一方の退館認証ゲート１０の上面の手前側には利用者の持参するＩＣカードを翳し、身元確認（個人認証）のための認証リーダ３が設けられているもので、この認証が確認されるとフラップボード２が遮断状態から開き、通行可とされる。
【００１４】
さらに、この一対の退館認証ゲート１０の通行手前側には、資料（図書類）に具備されている電子タグと通信し、不正持出しがあった場合に、警報を鳴動させたり、音声ガイドを流すためのＲＦＩＤアンテナ６、６が両側に設けられている。即ち、認証リーダ３で個人認証を行なっても、このＲＦＩＤアンテナ６によって不正が感知されると、フラップボード２は開かず、通行が不可となる。このＲＦＩＤアンテナ６、６からの信号を受けて読み取るＲＦＩＤリーダライタ５が設けられており、このＲＦＩＤリーダライタ５はＲＡＭで構成され、内容の書き換えも可能となっているもので、利用者ＤＢ８と電気的に接続されている。
【００１５】
本実施例に係る利用者通行認証ゲートは上記のように構成されている。この実施例ではフラップボード２を左右一対設けてあるが、これは通行スペースの幅に応じて一枚でもよく、フラップボード２に代えて回転バーや格子シャッターを用いることもでき、踏切や駐車場におけるような上方へ枢動する遮断バーを用いることもできる。
【産業上の利用可能性】
【００１６】
本実施例に係る利用者通行認証ゲートは上記のように構成されており、この実施例では図書館における設置を想定しているが、この利用者通行認証ゲートは他の施設にあっても応用利用することができ、例えば、商業施設の出口、駐車場の出口ゲート等々、通行証に加え商品や、内部設備品の不正持出しを防止することが必要となる場所に設けて効果を発揮する。また、身元確認（個人認証）のＩＣカードは接触式の磁気やバーコードを用いるものでもよいことは勿論である。
【符号の説明】
【００１７】
２    フラップボード
３    ＩＣカード認証リーダ
５    ＲＦＩＤリーダライタ
６    ＲＦＩＤアンテナ
７    ＲＦＩＤ電波読み取りエリア
８    利用者ＤＢ
１０  退館認証ゲート
【図１】
2015210692.tif 000003
【図２】
2015210692.tif 000004